(57)【要約】【課題】  従来よりも広範囲にわたって均一な光を照射することができる照明器具を提供する。【解決手段】  面発光用の透明な導光板８を備え、この導光板８の各側端面には、その長手方向に沿い、かつ側端面に対向して複数の発光素子９が一列に配置されている。この場合、台座部１から支柱２が立設され、この支柱２の上部に照明部３が設けられ、照明部３は支柱２にねじ等で固定されてフレーム７を有しており、このフレーム７の内部に、各導光板８の側端面に対向し、かつ側端面の長手方向に沿って複数個の発光素子９が一列に配置されている。【選択図】図１
2007059285.tif 000002
【特許請求の範囲】
【請求項１】
面発光用の透明な導光板を備え、この導光板の少なくとも一つの側端面には、その長手方向に沿い、かつ側端面に対向して複数の発光素子が一列に配置されていることを特徴とする照明器具。
【発明の詳細な説明】
【技術分野】
【０００１】
本発明は、ＬＥＤ等の発光素子を光源として使用した照明器具に関する。
【背景技術】
【０００２】
従来より照明スタンドなどの照明光源として、蛍光灯や白熱灯を用いたものが広く使用されているが、蛍光灯や白熱灯を照明光源としたものは、消費電力が大きく、また、長寿命を維持することが難しく、さらに、点灯回路としてインバータや安定器などが必要なために軽量化が難しい。
【０００３】
そこで、近年は、ＬＥＤを照明用光源として利用する動きが活発化している。例えば、従来、照明スタンドとして、配線基板上に複数のＬＥＤを直線状に配置するとともに、ＬＥＤからの光を外部に放出する開口部を形成してなる灯具本体を備えるとともに、この灯具本体に対向して透光板を配置し、この透光板にＬＥＤからの光を集光する集光部と、透孔板の測縁から出射される光を拡散する拡散部をそれぞれ形成した構成のものが提案されている（例えば、特許文献１参照）。
【０００４】
この従来構成のものでは、光源として蛍光灯や白熱灯を使用する場合に比べてインバータやトランス等の点灯回路部品が不要で、装置全体を軽量にでき、また、ＬＥＤからの出射光を所要の照射面に対して均一に照射できるといった利点が得られる。
【特許文献１】特開２００４−１０３３８０号公報
【発明の開示】
【発明が解決しようとする課題】
【０００５】
しかしながら、特許文献１に記載されている照明スタンドは、配線基板上に複数のＬＥＤを直線状に配置してなる灯具本体に対向して透光板を配置した構成であるので、直管型の蛍光灯を代替したのに等しく、したがって、ＬＥＤの配列方向には光を比較的均一に照射することができるが、これと直交する方向に対する光照射範囲は限られており、直管型の蛍光灯よりも十分に広い範囲にわたって光を照射することが難しい。
【０００６】
本発明は、上記の課題を解決するためになされたもので、従来よりも十分に広い範囲にわたって均一な光を照射することができる照明器具を提供することを目的とする。
【課題を解決するための手段】
【０００７】
上記の目的を達成するために、本発明の照明器具は、面発光用の透明な導光板を備え、この導光板の少なくとも一つの側端面には、その長手方向に沿い、かつ側端面に対向して複数の発光素子が一列に配置されていることを特徴としている。
【発明の効果】
【０００８】
本発明の照明器具は、導光板を面発光させる構成、すなわち導光板の側端面から発光素子の光を導入し、導入した光を導光板の主表面側から外部に放射する構成であるので、従来よりも十分に広い範囲にわたって均一に光を照射することができる。
【発明を実施するための最良の形態】
【０００９】
以下、本発明の実施の形態について、図面を参照して詳しく説明する。図１は本発明の実施の形態１における照明器具としての照明スタンドを示す斜視図である。この実施の形態１の照明スタンドは、台座部１から支柱２が立設され、この支柱２の上部に照明部３が設けられている。
【００１０】
台座部１には、オンオフスイッチ４や調光つまみ５などが設けられている。一方、照明部３は、支柱２にねじ等で固定されフレーム７を有するとともに、このフレーム７の左右にそれぞれ平面視が半楕円形で平板状の導光板８の一端部が挿着固定されている。そして、フレーム７の内部には、各導光板８の側端面に対向し、かつ側端面の長手方向に沿って複数個の発光素子９が一列に配置されるとともに、各発光素子９を搭載した回路基板１０が取り付けられて構成されている。
【００１１】
上記の導光板８は、例えば厚さが１０ｍｍ〜２０ｍｍ程度の透明樹脂（例えばアクリル樹脂やポリカーボネート樹脂）製のものであり、光放射側となる主表面（下面）８ａには、断面視で三角形状をなす凹凸構造が形成されている。これにより、導光板８から出射する光を拡散させている。この場合に、主表面（下面）８ａの凹凸構造は、発光素子９の近接側の表面粗さが大きく、近接側から遠方になるのに従って表面粗さが次第に小さくなるように形成されてもよい。これにより、導光板８の図中左右幅方向における輝度ムラの発生がさらに抑制される。
【００１２】
また、導光板８の光放射側の主表面（下面）８ａと対面する裏面（上面）側には反射膜１２が形成されている。さらに、導光板８の裏面（上面）側に、例えば断面視で三角形状をなす反射ドットを設けてもよい。これにより、屈折角を変化させて輝度ムラをさらに低減することが可能となる。なお、裏面に反射膜１２を形成する代わりに反射カバーを取り付けることも可能である。
【００１３】
また、上記の発光素子９は、例えば、白色光を発光するＬＥＤ（例えば、青色ＬＥＤと黄色蛍光体とを組み合わせた白色ＬＥＤや、Ｒ，Ｇ，Ｂ３原色ＬＥＤを組み合わせたマルチチップ白色ＬＥＤ等）が適用される。この場合、各発光素子９の放射光の一部が導光板８の側端面の長手方向において互いに重複するように各発光素子９５の相互間の配置間隔が設定されており、これによって導光板８３の幅方向における輝度ムラの発生が抑制されている。
【００１４】
上記構成の照明スタンドにおいて、発光素子９を点灯すると、各発光素子９からの光が左右の各導光板８の側端面から直接内部に導入され、導入された光は各導光板８の主表面（下面）８ａ側から外部に放射される。この場合、導光板８の光放射側の主表面（下面）８ａは、発光素子９の近接側から先端側になるのに従って表面粗さが次第に小さくなるように形成されているので、発光素子９の近接側の主表面（下面）８ａから外部に放射される光は多く散乱され、先端側の主表面（下面）８ａから外部に放射される光の散乱は少なくなる。
【００１５】
このため、各導光板８において、平面的な光強度分布は全面で略均一となり、輝度ムラの極めて少ない面発光状態が得られる。しかも、この照明スタンドは、導光板８が面発光するため、直管型の蛍光灯や前述の特許文献１の照明器具よりも十分に広い範囲にわたって均一に光を照射することができる。
【００１６】
なお、上記の実施の形態１の照明スタンドは、台座部１から立設された支柱２の上部に取り付けられたフレーム７の左右にそれぞれ導光板８の一端部を挿着固定しているが、例えば、図２に示すように、フレーム７の片側にのみ導光板８の一端部を挿着固定し、これに併せて、フレーム７の内部に複数個の発光素子９とこれらを搭載した回路基板１０とを設けた構成とすることも可能である。
【００１７】
図３は本発明の実施の形態２における照明器具としての照明スタンドを示す斜視図であり、実施の形態１の構成と対応もしくは相当する部分に同一の符号を付す。この実施の形態２の照明スタンドは、左右一対の台座部１からそれぞれ支柱２が立設され、各支柱２間に照明部３が固定支持されている。
【００１８】
この照明部３は、左右の各支柱２にそれぞれねじ等で固定されたフレーム７にアーチ形に形成された面発光用の導光板８の両端部が挿着固定されており、また、各フレーム７の内部には、導光板８の側端面に対向し、かつ側端面の長手方向に沿って複数個の発光素子９が一列に配置されるとともに、各発光素子９を搭載した回路基板１０が設けられている。
【００１９】
この構成の照明スタンドにおいても、発光素子９を点灯すると、各発光素子９からの光が導光板８の両側端面から直接内部に導入され、導入された光は導光板８の主表面（下面）８ａ側から外部に放射される。
【００２０】
このように、この実施の形態２の照明スタンドは導光板８が面発光するため、十分に広い範囲にわたって均一に光を照射することができる。したがって、例えば屋外の門やアーケードの照明スタンドとして使用することが可能である。その他の構成、および作用効果は、実施の形態１の場合と同様であるから、ここでは詳しい説明は省略する。
【００２１】
図４は本発明の実施の形態３における照明器具を示す斜視図であり、実施の形態１の構成と対応もしくは相当する部分に同一の符号を付す。この実施の形態３の照明器具は、桟や壁面等に直付けされるフレーム７を有し、このフレーム７に平板状をした面発光用の導光板８の一端部が挿着固定されている。そして、フレーム７の内部には、この導光板８の側端面に対向し、かつ側端面の長手方向に沿って複数個の発光素子９が一列に配置されるとともに、各発光素子９を搭載した回路基板１０が設けられている。
【００２２】
この構成の照明スタンドにおいても、発光素子９を点灯すると、各発光素子９からの光が導光板８の側端面から直接内部に導入され、導入された光は導光板８の主表面（下面）８ａ側から外部に放射される。
【００２３】
このように、この実施の形態３の照明器具も導光板８が面発光するため、十分に広い範囲にわたって均一に光を照射することができる。したがって、この照明器具は、例えば子供の学習机の照明器具や、表札灯などに使用することが可能である。その他の構成、および作用効果は、実施の形態１の場合と同様であるから、ここでは詳しい説明は省略する。
【００２４】
なお、上記の各実施の形態１〜３の各照明器具においては、導光板８となる透明樹脂としてアクリル樹脂やポリカーボネート樹脂を使用しているが、例えばアクリル樹脂を他のモノマーと共重合させることにより樹脂特性を改質することで常温可塑性にすれば、必要に応じて導光板８を屈曲させることで照明の向きを自由に調整できるようになるので一層便利である。
【００２５】
例えば、図４に示した実施の形態３の照明器具を子供の学習机に取り付けた場合、図５に示すように、導光板８を平坦な状態にしたり（同図（ａ）参照）、あるいは導光板８を屈曲させたり（同図（ｂ）参照）して照明の向きを変えることで、学習の際に最適な明るさを確保することができるので便利である。
【００２６】
また、導光板８の材料として透明なシリコン樹脂を使用し、このシリコン樹脂の裏面側に薄肉の金属板を一体接合することにより常温可塑性をもつようにすることもでき、この場合も同様に、照明の向きを自由に調整できるようになるために便利である。また、上記の実施の形態１、２において、支柱２をフレキシブルパイプで構成して照明部３を自由に傾斜させるように構成することも可能である。
【図面の簡単な説明】
【００２７】
【図１】本発明の実施の形態１における照明器具としての照明スタンドを示す斜視図である。
【図２】本発明の実施の形態１の照明スタンドの変形例を示す斜視図である。
【図３】本発明の実施の形態２における照明器具としての照明スタンドを示す斜視図である。
【図４】本発明の実施の形態３における照明器具を示す斜視図である。
【図５】本発明の照明器具の応用例を示す側面図である。
【符号の説明】
【００２８】
３    照明部
７    フレーム
８    導光板
８ａ  主表面
９    発光素子
１０    回路基板
【図１】
2007059285.tif 000003
【図２】
2007059285.tif 000004
【図３】
2007059285.tif 000005
【図４】
2007059285.tif 000006
【図５】
2007059285.tif 000007